(57)【特許請求の範囲】
【請求項１】
外部からの給電によりイオンを発生させるイオン発生部と、前記イオン発生部により発生したイオンを外部に放出するためのイオン放出口と、からなるイオン発生ユニットと、
所定の送風態様を有する送風ユニットと、を備え、前記イオン発生ユニットは前記所定の送風態様に基づいて外部にイオンを放出する除電装置であって、
前記送風ユニットは、前記イオン発生ユニットに対して脱着可能とされ、
前記イオン発生部は、前記イオンを発生させるためのイオン発生回路を備え、
前記送風ユニットは、電気回路を備えるとともに、
前記イオン発生ユニット或いは前記送風ユニットのいずれか一方のユニットには、電源から回路に電力を供給する電源ラインと、この電源ラインに連なる給電端子が設けられる一方、
他方側のユニットには、受電端子が設けられ、
前記給電端子と前記受電端子とを通電させると、前記一方側のユニットから前記他方のユニットの回路に電力が供給され、
前記イオン発生ユニットと前記送風ユニットとは、両ユニットの組み合わせが、異なる数同士で組み合わされることを特徴とする除電装置。
【請求項２】
外部からの給電によりイオンを発生させるイオン発生部と、前記イオン発生部により発生したイオンを外部に放出するためのイオン放出口と、からなるイオン発生ユニットと、
所定の送風態様を有する送風ユニットと、を備え、前記イオン発生ユニットは前記所定の送風態様に基づいて外部にイオンを放出する除電装置であって、
前記送風ユニットは、前記イオン発生ユニットに対して脱着可能とされ、
前記イオン発生部は、前記イオンを発生させるためのイオン発生回路を備え、
前記送風ユニットは、電気回路を備えるとともに、
前記イオン発生ユニット或いは前記送風ユニットのいずれか一方のユニットには、電源から回路に電力を供給する電源ラインと、この電源ラインに連なる給電端子が設けられる一方、
他方側のユニットには、受電端子が設けられ、
前記給電端子と前記受電端子とを通電させると、前記一方側のユニットから前記他方のユニットの回路に電力が供給され、
前記送風ユニットには複数種の送風ユニットが含まれ、これら複数種の送風ユニットは前記イオン発生ユニットに対する取り付け部の形状が同一形状とされ、前記イオン発生ユニットに対して選択的に装着可能とされていることを特徴とする除電装置。
【請求項３】
前記複数種の送風ユニットには、送風態様が互いに異なる送風ユニットが含まれることを特徴とする請求項２に記載の除電装置。
【請求項４】
前記送風ユニットには前記エア放出口と対向してエア導出孔が設けられ、前記外部から取り込まれたエアはこのエア導出孔を通って、前記イオン放出口に送出されるものにおいて、
前記複数種の送風ユニットには前記エア導出孔の形状を互いに異ならせることで、前記イオン放出口から外部に放出される前記エアの放出量、或いは放出面積が互いに異なる送風ユニットが含まれることを特徴とする請求項３に記載の除電装置。
【請求項５】
前記イオン放出口の開口の大きさは、前記複数種の送風ユニットのうちの少なくとも１つの送風ユニットにおけるエア導出孔の開口より大きく形成されていることを特徴とする請求項３又は請求項４に記載の除電装置。
【請求項６】
前記イオン発生ユニットには、前記イオンの発生方式が異なるものを含み、これらイオンの発生方式が互いに異なるイオン発生ユニットは、前記送風ユニットに対する取り付け部の形状が同一形状とされ、いずれのイオン発生ユニットも前記送風ユニットに装着可能である、ことを特徴とする請求項２ないし請求項５のいずれかに記載の除電装置。
【請求項７】
前記送風態様には、無送風の送風態様が含まれることを特徴とする請求項３に記載の除電装置。
【発明の詳細な説明】
【技術分野】
【０００１】
本発明は、除電装置に関する。
【背景技術】
【０００２】
従来より、帯電している被除電対象物にイオン吹きかけることにより、被除電対象物を除電する除電装置が提供されている（特許文献１）。
このものは、吹き出しダクトが設けられたハウジング内に、放電電極を有するイオン発生部と送風機を備え、放電電極に高電圧を印加することで生成されるイオン化空気を、送風機によって吹き出しダクトから送出させるようにしたものである。
【特許文献１】特開２００２−１５１２９３公報（第５−７頁、第１図）
【発明の開示】
【発明が解決しようとする課題】
【０００３】
上記構造では、イオン発生部、送風機は共に、ハウジングに収められており、これらを容易に取り外すことは出来ない。そのため、イオン発生部、送風機のいずれかが故障した場合には、除電装置全体を新しいものに交換する必要があり、この点において、改善の余地があった。
本発明は上記のような事情に基づいて完成されたものであって、ユニット単位での交換が可能な除電装置を提供することを目的とする。
【課題を解決するための手段】
【０００４】
上記の目的を達成するための手段として、請求項１の発明は、外部からの給電によりイオンを発生させるイオン発生部と、前記イオン発生部により発生したイオンを外部に放出するためのイオン放出口と、からなるイオン発生ユニットと、所定の送風態様を有する送風ユニットと、を備え、前記イオン発生ユニットは前記所定の送風態様に基づいて外部にイオンを放出する除電装置であって、前記送風ユニットは、前記イオン発生ユニットに対して脱着可能とされ、前記イオン発生部は、前記イオンを発生させるためのイオン発生回路を備え、前記送風ユニットは、電気回路を備えるとともに、前記イオン発生ユニット或いは前記送風ユニットのいずれか一方のユニットには、電源から回路に電力を供給する電源ラインと、この電源ラインに連なる給電端子が設けられる一方、他方側のユニットには、受電端子が設けられ、前記給電端子と前記受電端子とを通電させると、前記一方側のユニットから前記他方のユニットの回路に電力が供給され、前記イオン発生ユニットと前記送風ユニットとは、両ユニットの組み合わせが、異なる数同士で組み合わされるところに特徴を有する。
【０００５】
請求項２の発明は、外部からの給電によりイオンを発生させるイオン発生部と、前記イオン発生部により発生したイオンを外部に放出するためのイオン放出口と、からなるイオン発生ユニットと、所定の送風態様を有する送風ユニットと、を備え、前記イオン発生ユニットは前記所定の送風態様に基づいて外部にイオンを放出する除電装置であって、前記送風ユニットは、前記イオン発生ユニットに対して脱着可能とされ、前記イオン発生部は、前記イオンを発生させるためのイオン発生回路を備え、前記送風ユニットは、電気回路を備えるとともに、前記イオン発生ユニット或いは前記送風ユニットのいずれか一方のユニットには、電源から回路に電力を供給する電源ラインと、この電源ラインに連なる給電端子が設けられる一方、他方側のユニットには、受電端子が設けられ、
前記給電端子と前記受電端子とを通電させると、前記一方側のユニットから前記他方のユニットの回路に電力が供給され、前記送風ユニットには複数種の送風ユニットが含まれ、これら複数種の送風ユニットは前記イオン発生ユニットに対する取り付け部の形状が同一形状とされ、前記イオン発生ユニットに対して選択的に装着可能とされているところに特徴を有する。
【０００６】
【０００７】
【０００８】
【０００９】
【００１０】
【００１１】
請求項３の発明は、請求項２に記載のものにおいて、前記複数種の送風ユニットには、送風態様が互いに異なる送風ユニットが含まれるところに特徴を有する。
【００１２】
請求項４の発明は、請求項３に記載のものにおいて、前記送風ユニットには前記エア放出口と対向してエア導出孔が設けられ、前記外部から取り込まれたエアはこのエア導出孔を通って、前記イオン放出口に送出されるものにおいて、前記複数種の送風ユニットには前記エア導出孔の形状を互いに異ならせることで、前記イオン放出口から外部に放出される前記エアの放出量、或いは放出面積が互いに異なる送風ユニットが含まれるところに特徴を有する。
【００１３】
請求項５の発明は、請求項３又は請求項４に記載のものにおいて、前記イオン放出口の開口の大きさは、前記複数種の送風ユニットのうちの少なくとも１つの送風ユニットにおけるエア導出孔の開口より大きく形成されているところに特徴を有する。
【００１４】
請求項６の発明は、請求項２ないし請求項５のいずれかに記載のものにおいて、前記イオン発生ユニットには、前記イオンの発生方式が異なるものを含み、これらイオンの発生方式が互いにことなるイオン発生ユニットは、前記送風ユニットに対する取り付け部の形状が同一形状とされ、いずれのイオン発生ユニットも前記送風ユニットに装着可能である、ところに特徴を有する。
【００１５】
請求項７の発明は、請求項３に記載のものにおいて、前記送風態様には、無送風の送風態様が含まれるところに特徴を有する。
【００１６】
【００１７】
【発明の効果】
【００１８】
＜請求項１、請求項２の発明＞
請求項１、請求項２の発明によれば、ユニットごとに交換が出来るので、いずれかのユニットが故障して使用不能になったときには、故障したユニットのみ交換してやればよい。このような構成であれば、いずれかのユニットに故障があった場合に、装置全体を交換を強いられる構成のものに比べて、交換費用を低減することが可能となる。また、イオン発生ユニット単体で、使用することが出来る、という利点もある。
【００１９】
また、請求項１、請求項２の発明によれば、給電端子と受電端子とを通電させると、一方側のユニットから他方のユニットの回路に電力が供給される。こうような構成であれば、両ユニットのそれぞれに、電源ケーブルを専用に設ける必要がない。
【００２０】
【００２１】
【００２２】
【００２３】
また、請求項１の発明によれば、異なる数同士でユニットの取り付けが可能である。このような構成であれば、ユニット同士の取り付けが単数のみである場合に比べて、組み合わせのバリエーションが増え、広範囲にイオンを吹きかける場合に、有効である。加えて、一部のユニットが故障したら、それだけを交換するだけでよいので、交換コストも安価で済む。
【００２４】
また、請求項２の発明によれば、使用用途に応じて、送風ユニットを種々選択できるので、商品性に優れるものとなる。
【００２５】
＜請求項３の発明＞
送風態様には、例えば、ファン駆動のもの、或いは圧縮エアをノズルより噴出させる形式のもの等があるが、ファン駆動のものはイオンを広範に吹き出させる用途に適しており、圧縮エアを噴出させるものはイオンを特定箇所に集中的に吹きつけたり、イオンを遠方に届かせたりするのに適している、といった様に、それぞれ特徴が異なる。請求項８の発明によれば、上述した特徴が互いに異なる送風態様のものを選択的に使用することが出来るので、使用用途についてもバリエーションが増え、より一層、商品性が高まる。
【００２６】
＜請求項４の発明＞
請求項４の発明によれば、複数種の送風ユニットには、エアの導出孔の形状が互いに異なるものが含まれている。このような構成であれば、使用用途に応じてエアの放出量、或いは放出面積を選択することが出来るので、商品性が高まる。
【００２７】
＜請求項５の発明＞
請求項５の発明によれば、イオン発生ユニットに設けられるイオン放出口の開口面積は、自ずと、ある程度の面積となる。仮に、圧縮エアを送出させるタイプ（エア導出孔の開口が小さい）に応じて、イオン放出口の開口面積が小さく設定されていると、比較的、エア導出孔の開口面積の大きいファン送風タイプのものが選択されたときに、使用することが出来ないが、上述のように、ある程度の開口面積があれば、一のイオン発生ユニットで両タイプの送風ユニットを、支障なく兼用できる。
【００２８】
＜請求項６、請求項７の発明＞
請求項６並びに、請求項７の発明であれば、イオン発生ユニットと、送風ユニットとの組み合わせに、更に、バリエーションが増えるので、更に、商品性が高まる。
【発明を実施するための最良の形態】
【００２９】
＜実施形態１＞
本発明の実施形態１を図１ないし図１０によって説明する。
図１に示す符号２０はイオン発生ユニット、符号４０は送風ユニットである。尚、以下の説明において、前後方向に関しては、図１における左手前側を前側とし、右奥側を後側として説明する。
【００３０】
イオン発生ユニット２０は、左右に延びる横長形状をなす筐体２１内に、４つの放電針２５並びに、回路基板（図示せず）を備えている。筐体２１には、同図に示す左端からほぼ等間隔で４つの貫通孔２２が同筐体２１を前後に貫通して設けられるとともに、右側部は回路収容部２３とされ、そこには先の回路基板が収容されている。各貫通孔２２はいずれも横長な形状をなすとともに、各貫通孔２２の右内壁からは放電針２５が横向きに突出している。また、これら貫通孔２２の出口部分、すなわちケーシング前面壁２１Ａの開口はイオン放出口２２Ａとされている。
尚、筐体２１、放電針２５、後述する高電圧発生回路３５が、本発明のイオン発生部に相当する。
【００３１】
また、筐体２１の後面壁２１Ｂは平らな平面形状となっており、そこには、次述する複数種の送風ユニット４０を選択的に装着させることが可能とされている。
【００３２】
送風ユニット４０には、ファン５３を内蔵するファンユニット５０、図示しないコンプレッサから送出される圧縮エアを流管Ｒを通じて取り込んでノズル７２の先端から吐出させるエア噴出ユニット７０、並びに空調設備等から送出されるエアを整流しつつ各貫通孔２２へと案内する整流ユニット９０、といったように外部から取り込んだエアをイオン発生ユニット２０に送り出すものが３種（すなわち、３種の送風態様の送風ユニット）が設けられている。
【００３３】
各ユニット５０、７０、９０について更に、説明すると、ファンユニット５０はいわゆるクロスフローファンであって、イオン発生ユニット２０の筐体２１に倣った形状、すなわち左右に延びる横長な形状のケーシング５１を備える。ケーシング５１内には、円筒状をなす送風用のファン（回転体）５３が横向きに支持され、モータ５５からの動力を受けて回動駆動されるようになっている。また、ファンユニット５０のケーシング５１の前面壁５１Ａには、イオン発生ユニット２０の貫通孔２２を対向する位置に、４つのエア導出孔５２が設けられている。
【００３４】
エア噴出ユニット７０は、ファンユニット５０と同じく、イオン発生ユニット２０の筐体２１に倣った形状、すなわち左右に延びる横長な形状のケーシング７１を備える。このケーシング７１の右側面には流管Ｒが接続されており、同流管Ｒの他端が図示しないコンプレッサに接続されている。また、ケーシング７１の前面壁には、前方に突出するようにして４つのノズル７２が設けられている。これら４つのノズル７２からは、コンプレッサから送出される圧縮エアが噴出されるようになっている。
【００３５】
整流ユニット９０は、左右に並ぶ４つのダクト部９２を備え、全体としてはイオン発生ユニット２０の筐体２１に倣った形状、すなわち左右に延びる横長な形状をなす。この整流ユニット９０は、電気部品が装着されないので、ファンユニット５０並びに、エア噴出ユニット７０に比べて全長が短くなっている。尚、整流ユニット９０の使用例（空調設備のエア気流を整流してイオン発生ユニットに吹き突ける例）については、後の使用例で詳しく説明する。
【００３６】
これらファンユニット５０、エア噴出ユニット７０、整流ユニット９０の前面壁５１Ａ、７１Ａ、９１Ａは、いずれも平らな平面形状（ここでは、平面形状としているが、形状はこれに限定されるものではない）となっており、そこは、イオン発生ユニット２０を装着するための取り付け面とされている。
【００３７】
次に、イオン発生ユニット２０と、上記送風ユニット（ファンユニット、エア噴出ユニット、整流ユニット）４０の取り付け構造について具体的に説明すると、イオン発生ユニット２０の筐体２１にはねじ挿通孔３１（３１ａ〜３１ｆ）が６箇所設けられている、具体的には、筐体２１の４隅並びに、幅方向の中央やや右寄りの位置（回路収容部２３の左側方）の上下にそれぞれ設けられている。一方、ファンユニット５０並びにエア噴出ユニット７０のケーシング５１、７１の前面壁５１Ａ、７１Ａには、イオン発生ユニット２０のねじ挿通孔３１（３１ａ〜３１ｆ）と対向する位置にそれぞれねじ孔４１（４１ａ〜４１ｆ）が形成されている。
【００３８】
これにより、イオン発生ユニット２０の後面壁２１Ｂに、ファンユニット５０或いはエア噴出ユニット７０のいずれか一方を宛がいつつ、その状態からねじ締めを６点してやることで、イオン発生ユニット２０に、ファンユニット５０或いはエア噴出ユニット７０のいずれかを固定することが出来る。そして、例えば、イオン発生ユニット２０にファンユニット５０が装着されていた場合に、これをエア噴出ユニット７０に取り替えるには、ねじによる螺合を解いて、両ユニット２０、５０を分離させ、その後、改めて、エア噴出ユニット７０をイオン発生ユニット２０に対向させつつ、ねじ締めしてやればよい。
尚、筐体２１の後面壁２１Ｂの周縁部（ねじ挿通孔３１が設けられているところ）が、本発明（請求項６）の取り付け部に相当し、各送風ユニットの前面壁５１Ａ、７１Ａ、９１Ａの周縁部（ねじ孔４１が設けられているところ）が、本発明（請求項２）の取り付け部に相当するものである。
【００３９】
また、整流ユニット９０の前面壁９１Ａの４隅であって、イオン発生ユニット２０のねじ挿通孔３１ａ〜３１ｄと対向する位置には、それぞれねじ孔４１ａ〜４１ｄが形成されている。そのため、先の要領でねじ締めを行なうことで、イオン発生ユニット２０に先のファンユニット５０、エア噴出ユニット７０に代えて整流ユニット９０を装着することも出来る。
【００４０】
また、図２には、貫通孔２２の開口幅（イオン放出口２２Ａの幅）と、各送風ユニット４０のエア導出孔５２の開口幅の大きさが比較されている。符号７１は、エア噴出ユニット７０のケーシング７１であり、符号５１はファンユニット５０のケーシング５１であり、符号２１はイオン発生ユニット２０の筐体２１である。
【００４１】
同図に示すように、本実施形態では、イオン発生ユニット２０に形成される貫通孔２２の開口幅を予め大きめに設定してある。具体的には、同図におけるＦ寸法が、Ｇ寸法、Ｈ寸法に比べて大きくとられている。仮に、貫通孔２２の開口幅を、エア噴出ユニット７０のノズル７２のエア導出孔の大きさに合わせて小さく設定してしまうと、イオン発生ユニット２０にファンユニット５０を装着したときに、エアの送出がうまくされない、という問題が起こるが、上述のように、貫通孔２２の開口幅を予め大きくとっておけば、イオン発生ユニット２０に、ファンユニット５０或いは、エア噴出ユニット７０のいずれが装着された場合であっても、支障なく使用できる。
【００４２】
尚、上記構成が、本発明の「前記イオン放出口の開口の大きさは、前記複数種の送風ユニットのうちの少なくとも１つの送風ユニットにおけるエア導出孔の開口より大きく形成されている」に相当する構成である。
【００４３】
また、図３は、図２におけるＡ部を拡大した図であるが、放電針２５は、基端側に座部２６を備える。この座部２６の外壁には側方に張り出す突縁２６Ａが設けられている。一方、筐体２１には、座部２６を収容する収容凹部２４が設けられ、その上下両壁面には前記突縁２６Ａを隙間無く嵌合させる嵌合溝２４Ａが設けられている。そして、突縁２６Ａを嵌合溝２４Ａに嵌め合わせつつ、座部２６を収容凹部２４に収めることで放電針２５が筐体２１に固定され、これとは反対に、突縁２６Ａと嵌合溝２４Ａによる嵌合を解き、座部２６を収容凹部２４から取り外すことで、各放電針２５を単体で取り外すことが出来るようになっている。
【００４４】
図４は、イオン発生ユニット２０と、ファンユニット５０の電気的構成を示すブロック図、図６はイオン発生ユニット、ファンユニットの断面図である。イオン発生ユニット２０は電源に連なる電源ラインＬ１と、電源ラインＬ１を通じて電力の供給を受けて、正・負の高電圧を交互に発生させる高電圧発生回路（本発明のイオン発生回路に相当）３５を備える。この高電圧発生回路３５の出力端子には共通の出力線Ｌ２を通じて４つの放電針２５が連なっており、高電圧発生回路３５によって高電圧が発生し、これが各放電針２５に印加されると、各放電針２５にコロナが生じイオンが生成される。すなわち、高電圧発生回路３５から放電針２５に正の高電圧が印加されることで、正極性のイオンが生成され、負の高電圧が印加されることで、負極性のイオンが生成される。
【００４５】
ファンユニット５０には、モータ５５を駆動させるための駆動回路（本発明の電気回路に相当）６５が設けられている。またファンユニット５０には、上記駆動回路６５に連なる受電端子６６が設けられている。一方、先のイオン発生ユニット２０には給電端子３６が設けられており、受電端子６６と給電端子３６とは電気的に接続可能な構成とされている。これにより、両端子３６、６６を通電させると、ファンユニット５０の駆動回路６５には、イオン発生ユニット２０の電源ラインＬ１を通じて電源から電力が供給される。このような構成であれば、ファンユニット５０に、電源ケーブルを専用に設ける必要がない。
【００４６】
そして、ファン５３が駆動されると、ケーシング５１の後面に設けられる空気取り入れ口５６から、ケーシング５１内、すなわちファン室にエアが取り込まれるとともに、取り込まれたエアは、前面壁５１Ａの各エア導出孔５２を通じて、イオン発生ユニット２０の貫通孔２２へと送出される（図５参照）。これにより、貫通孔２２内に突出される放電針２５により生成されたイオンは、送出されたエアと共にイオン放出口２２Ａから図示下方に送出されることとなる。尚、ファンユニット５０は、比較的広範囲にイオンを放出する用途に適している。
【００４７】
尚、受電端子６６と給電端子３６は、電気的に接続可能であればよいので、本来的には筐体２１、５１のどこに設けてもよいが、本実施形態では、給電端子３６をイオン発生ユニット２０の後面壁２１Ｂに設ける一方、給電端子３６をファンユニット５０の前面壁５１Ａに設け、しかもこれら両端子３６、６６を対向配置させている。これにより、両ユニット２０、５０をねじ締めにより固定すると、自ずと両端子３６、６６が電気的に接続されるようになっている。
【００４８】
図６は、イオン発生ユニット２０と、エア噴出ユニット７０の電気的構成を示すブロック図である。イオン発生ユニット２０の電気的構成は、先の図４の場合と同じであるので説明を省略するものとする。エア噴出ユニット７０は、表示灯８１と、表示灯８１を点灯動作させるドライブ用の電気回路８５を備える。この電気回路８５には受電端子８６が連なっており、受電端子８６にイオン発生ユニット２０の給電端子３６が電気的に接続されると、電気回路８５にイオン発生ユニット２０の電源ラインＬ１を通じて電源から電力が供給される。尚、表示灯８１は、イオン発生ユニット２０と、エア噴出ユニット７０が正しく連結されたときに、点灯するものである。
【００４９】
また、先のファンユニット５０は、用途として、広範囲にイオンを吹きかける場合に適しているが、エア噴出ユニットは、特定箇所に集中的にイオンを吹きかけたり、イオンを遠方に届かせるのに適している。
【００５０】
このように、本実施形態によれば、イオン発生ユニット２０と、送風ユニット４０とはねじにより固定さており、簡単に取り外すことが出来るので、いずれかのユニットが故障して使用不能になったときには、故障したユニットのみ交換してやればよい。
【００５１】
このような構成であれば、いずれかのユニットに故障があった場合に、装置全体の交換を強いられる構成のものに比べて、交換費用を低減することが可能となる。また、上記構成であれば、イオン発生ユニット２０を単体で、使用することが出来る、という利点もある。加えて、特徴がそれぞれ異なる送風態様の送風ユニット４０を選択的に取り付けることが出来るので、種々の使用用途に対応することが可能で、商品性に優れるものとなっている。
【００５２】
＜使用例＞
整流ユニット９０の使用例、並びに整流作用について、図７ないし１０を参照して説明する。この使用例は、イオン発生ユニット２０と整流ユニット９０からなる除電装置を空調設備の下方において、縦向きに配置し空調設備から下向きに送出されるダウンフローを利用してイオンを被除電対象物に対して吹きかけるものである（図７参照）。
【００５３】
図８は、図７のＢ−Ｂ線断面図、図９は図６のＣ−Ｃ線断面図である。
両図に示すように、整流ユニット９０の内部空間は、イオン発生ユニット２０の貫通孔２２にそれぞれ連続する４つのダクト部９２に仕切られているが、これらダクト部８２を仕切る隔壁９５、並びに周壁９１の上端部は流線形状、すなわち上方から下方に（エアの流れ方向）に向けて板幅がなだらかに広がる形状とされている。
【００５４】
仮に、図１０のように、整流ユニット９０を設けず、空調設備から送出されたダウンフローをイオン発生ユニット２０に直接取り込む構成とすると、イオン発生ユニット２０の上端部分（図１０におけるＤ部）にダウンフローの一部が直接吹き付けられ、乱流が生じる。しかし、上記構成の整流ユニット９０を設けておけば、ダウンフローをダクト部９２内、ひいてはこれに連なるイオン発生ユニット２０の貫通孔２２内にスムーズに導くことが出来、乱流の発生を抑えることが出来る（整流作用）。また、このものでは、整流効果を高めるために、ダクト部９２の開口幅と、貫通孔２２の開口幅を互いに等しくしており、両部２２、９２が対向する合わせ部分に段差ができないように配慮されている。
【００５５】
＜実施形態２＞
次に、実施形態２について、図１１ないし図１２を参照して説明する。
実施形態１における整流ユニット９０は、貫通する４つのダクト部９２を備え、ダクト部９２を区画する隔壁９５等の上端を流線形状としたが、実施形態２の整流ユニット９７は、外形形状そのものを流線形状とし、エアをイオン発生ユニット２０のイオン放出口２２Ａに直接送り込まない無送風の送風態様としたものである。図１２には、整流ユニット９７をイオン発生ユニット２０に装着した状態の断面図が示されている。同図に示すように、空調設備からのダウンフローは、整流ユニット９７の外壁部分で整流され、イオン発生ユニット２０の周囲にエアによるカーテンを作る。これにより、放電針２５に高電圧を印加することで発生したイオンは、周囲に広くがることなく、被除電対象物に吹きかけられることとなる。尚、整流ユニット９７は、内部が空洞状とされているが、これは、整流ユニット９７の軽量化を図るためである。
【００５６】
＜実施形態３＞
次に、実施形態３（請求項４に対応）について、図１３を参照して説明する。
実施形態３は、ファンユニット５０について、エア導出孔５２の開口形状の異なる３種類設けた例である。符号５１はいずれもファンユニット５０のケーシングであって、上から順にエア導出孔５２の幅（Ｅ寸法）が広くなっている。このように、エア導出孔５２の形状が異なるファンユニット５０を予め複数種設けておき、これらのユニットを用途に応じて選択的にイオン発生ユニット２０に装着してやれば、ファン５３から送出される送風量、送風幅等を用途に応じて変更出来ることとなり、商品性が高まる。
【００５７】
＜実施形態４＞
実施形態４を図１４ないし図１５を参照して説明する。
この実施形態のものは、イオン発生ユニット２０の後面壁２１Ｂの全体を被覆板１００で覆う構成のものである。被覆板１００は平板状をなすとともに、四隅にはネジ孔４１ａ〜４１ｄが設けられており、整流ユニット９０と同様に４隅をねじ締めすることでイオン発生ユニット２０に装着される。この実施例は、外部からの送風によらず、イオン同士の斥力を利用してイオンをイオン放出口２２Ａから放出させるものであり、被覆板１００でイオン発生ユニット２０の後面壁２１Ｂを塞ぐことで、イオン同士の電気的な反発を高め、イオン放出口２２Ａの反対側の開口からイオンが放出されるのを防止できる。
【００５８】
＜実施形態５＞
実施形態５を図１６ないし、図１８を参照して説明する。
実施形態５は、実施形態１で説明した図４の構成に対して、イオン発生ユニット１３０並びに、ファンユニット１４０をそれぞれ増設した例である。
【００５９】
まず、イオン発生ユニットであるが、増設された左側のユニットは自からは高電圧発生回路を持たないサブユニット１３０とされる。サブユニット１３０は、高電圧引込線Ｌ３を有し、同高電圧引込線Ｌ３に対して４つの放電針２５が連なっている。また、高電圧引込線Ｌ３の先端にはコネクタ１３１が設けられている。
【００６０】
一方、高電圧発生回路３５を有する右側のイオン発生ユニット（以下、メインユニットと呼ぶ）１１０の出力線Ｌ２の終端には、サブユニット１３０に設けられるコネクタ１３１に対する相手側コネクタ１１１が設けられている。そのため、これら両コネクタ１１１、１３１を互いに嵌合させると、メインユニット１１０の出力線Ｌ２とサブユニット１３０の高電圧引込線Ｌ３が通電状態となって、サブユニット１３０の各放電針２５にメインユニット１１０の高電圧発生回路３５において発生した高電圧が印加される。このような構成であれば、サブユニット１３０に高電圧発生回路３５を専用に設ける必要がないので、サブユニット１３０の回路構成が極めてシンプルになる。
【００６１】
一方、ファンユニットであるが、増設された左側のユニット１４０の回路構成は、右側のユニット１２０の回路構成と基本的には、同じであり専用に駆動回路６５を備えている。そして、増設されたファンユニット１４０に対しては、右側のファンユニット１２０に設けられる電力中継線Ｌ４を経由して電源から電力が供給される構成とされている。
【００６２】
図１７は、両コネクタ１１１、１３１を嵌合させる前の状態を示す拡大図（図１６におけるＧ部拡大部）、図１８は、両コネクタ１１１、１３１を嵌合させた状態を示す拡大図である。両図に示すように、両コネクタ１１１、１３１はメインユニット１１０の左側面１１０Ａ、サブユニット１３０の右側面１３０Ａにおいて対向配置されており、両側面１１０Ａ、１３０Ａ同士を突き当てると、図１８に示すように両コネクタ１１０Ａ、１３０Ａが互いに嵌合されるようになっている。
【００６３】
そして、サブユニット１３０の右側面１３０Ａには、コネクタ１３１の全周を取り囲む環状のシールリング１３５が設けられている。このシールリング１３５はメインユニット１１０の右側面にサブユニット１３１との左側面１３０を突き当て両ユニット１１０、１３０同士を図示しない固定方法で固定すると、両間を隙間無くシールする。これにより、埃或いは水滴が、両側面１１０Ａ、１３０Ａ間を通ってコネクタ１１１、１３１内部に進入することを、未然に防止できる。
【００６４】
＜実施形態６＞
実施形態６を図１９を参照して説明する。実施形態５では、ファンユニット並びに、イオン発生ユニットをそれぞれ増設した例を示したが、実施形態６は増設パターンを変更したものであり、この実施例では、一のファンユニット２００に３つのイオン発生ユニット２１０を左右に並べて装着している。このように、両ユニット２００、２１０を単数同士以外（異なる数同士）の組み合わせでも取り付可能とするには、ユニットの取り付け構造を予め共通化しておけばよく、この実施例では、ファンユニット２００と各イオン発生ユニット２１０は、ネジにより固定されるので、ネジの取り付けピッチ（図１９におけるＪ寸法間隔）が予め標準ピッチとして定められている。
【００６５】
このように、単数同士以外の組み合わせでもユニットの取り付けが可能であれば、広範囲にイオンを吹きかける場合に有効である。加えて、一部のユニットが故障したら、それだけを交換するだけでよいので、交換コストも安価で済む。
【００６６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６７】
（１）上記した実施形態では、いずれも放電針２５を利用してイオンを発生させたが、イオン発生ユニット２０としては、イオンを生成可能なものであればよく、放電針２５を利用するもの以外であってもよい。例えば、対向する電極間に高電圧を印加することで、コロナ放電を生じさせてイオンを生成する形式のものなどである。
【００６８】
（２）上記した実施形態では、イオン発生ユニット２０は、イオンの発生方式として、いわゆる交流タイプのものを例示した。すなわち、一の放電針２５に正・負の高電圧を交互に印加することで、正極性のイオンと負極性のイオンを交互に発生させた。しかし、イオン発生ユニット２０は、いわゆる直流タイプ、すなわち、正極性用の放電針と高電圧発生回路、並びに負極性用の放電電極と高電圧発生回路をそれぞれ専用に設ける構成であってもよい。
【００６９】
（３）実施形態６では、一のファンユニット２００に３つのイオン発生ユニット２１０を左右方向に並べて装着する例を示したが、ユニット同士の組み合わせは、これに限定されるものではなく、例えば、図２０に示すように、一のファンユニット２００に対して、複数のイオン発生ユニット２１０を上下に並べて取り付ける構成或いは、図２１に示すように、複数のユニット同士を組み合わせることも可能である。
【００７０】
（４）上記実施形態では、いずれもイオン発生ユニット２０に送風ユニット４０を、ねじで固定する構成としたが、脱着可能なものであれば適用可能であり、例えば、送風ユニット４０に凹溝を設ける一方、イオン発生ユニット２０に凹溝に対する凸片を設けておき、これらを凹凸嵌合させることで両ユニット２０、４０を保持させ、嵌合を解くことで分離させる構成であってもよい。
【００７１】
（５）実施形態１、実施形態５では、イオン発生ユニット２０に電源ラインＬ１並びに、給電端子３６を設ける一方、送風ユニット４０に受電端子６６を設け、イオン発生ユニット２０から送風ユニット４０に電力が供給される構成としたが、構成を逆にしてもよい、すなわち、送風ユニット４０に電源ラインＬ１並びに、給電端子３６を設ける一方、イオン発生ユニット２０に受電端子６６を設け、送風ユニット４０からイオン発生ユニット２０に電力が供給される構成としてもよい。
【図面の簡単な説明】
【００７２】
【図１】実施形態１に適用された除電装置の分解斜視図
【図２】筐体、並びに各ケーシングの断面図
【図３】放電針の取り付け構造を示す図
【図４】除電装置の電気的構成を示す図
【図５】除電装置の断面図
【図６】同じく、除電装置の電気的構成を示す図
【図７】除電装置の使用例を示す斜視図
【図８】図７におけるＢ−Ｂ線断面図
【図９】図７におけるＣ−Ｃ線断面図
【図１０】乱流現象を説明する図
【図１１】実施形態３に適用された、イオン発生ユニット、並びに整流ユニットの斜視図
【図１２】イオン発生ユニットに整流ユニットを取り付けた状態を示す断面図
【図１３】実施形態３における、ファンユニットの断面図
【図１４】実施形態４に適用された、イオン発生ユニット、並びに被覆板の斜視図
【図１５】イオン発生ユニットに被覆板を取り付けた状態を示す断面図
【図１６】実施形態５における、除電装置の電気的構成を示すブロック図
【図１７】両コネクタが嵌合する直前の状態を示す図
【図１８】両コネクタが嵌合した状態を示す図
【図１９】実施形態６における、除電装置の平面図
【図２０】他の実施例を示す図
【図２１】他の実施例を示す図
【符号の説明】
【００７３】
２０・・・イオン発生ユニット
２２Ａ・・・イオン放出口
２５・・・放電針
４０・・・送風ユニット
５０・・・ファンユニット
７０・・・エア噴出ユニット
９０・・・整流ユニット
【図１】
0004778289.tif 000002
【図２】
0004778289.tif 000003
【図３】
0004778289.tif 000004
【図４】
0004778289.tif 000005
【図５】
0004778289.tif 000006
【図６】
0004778289.tif 000007
【図７】
0004778289.tif 000008
【図８】
0004778289.tif 000009
【図９】
0004778289.tif 000010
【図１０】
0004778289.tif 000011
【図１１】
0004778289.tif 000012
【図１２】
0004778289.tif 000013
【図１３】
0004778289.tif 000014
【図１４】
0004778289.tif 000015
【図１５】
0004778289.tif 000016
【図１６】
0004778289.tif 000017
【図１７】
0004778289.tif 000018
【図１８】
0004778289.tif 000019
【図１９】
0004778289.tif 000020
【図２０】
0004778289.tif 000021
【図２１】
0004778289.tif 000022